(57)【特許請求の範囲】
【請求項１】
壁に露出して取付けられた機器の通常は使用しない露出部を覆う外装カバー装置であって、正面パネル部及び該正面パネル部の両側にそれぞれ一体的に連接して設けられた側面パネル部とを備え、前記壁に取り外し可能に取付けられる上下開放のカバー本体と、前記カバー本体の内側でかつ該カバー本体の下側に摺動自在に取付けられ、しかも、前記カバー本体の下端と床面との間を覆う上下開放の摺動カバーとを有し、
１）前記カバー本体の両側面パネル部の内側に一体的に設けられた固定手段と、２）前記壁に仮固定可能な粘着剤を壁当接面に有し、前記固定手段に係合する固定孔と、該固定孔とは別にガイド孔を有する少なくとも２個の取付け金具と、３）前記固定手段の上下に設けられ、それぞれ前記壁に向かって突出し、前記それぞれの取付け金具の前記ガイド孔に着脱自在に嵌入する位置決め突起とを有し、前記カバー本体の前記位置決め突起に、前記取付け金具を装着した状態で、前記壁の取付け位置に該取付け金具を仮固定できることを特徴とする外装カバー装置。
【請求項２】
壁に露出して取付けられた機器の通常は使用しない露出部を覆う外装カバー装置であって、正面パネル部及び該正面パネル部の両側にそれぞれ一体的に連接して設けられた側面パネル部とを備え、前記壁に取り外し可能に取付けられる上下開放のカバー本体と、前記カバー本体の内側でかつ該カバー本体の下側に摺動自在に取付けられ、しかも、前記カバー本体の下端と床面との間を覆う上下開放の摺動カバーとを有し、
１）前記カバー本体の両側面パネル部の内側に設けられた固定手段と、２）前記カバー本体の固定手段に係合する固定孔を有して、左右に配置される少なくとも２個の取付け金具とを有し、更に、
前記固定手段は、前記取付け金具の固定孔に嵌入する掛止突起と、該掛止突起の先端部に嵌着される突出片とを有すると共に、前記突出片の両側には山形状に突出する係合バネ部材を有していることを特徴とする外装カバー装置。
【請求項３】
請求項１又は２記載の外装カバー装置において、前記機器の露出する機器本体の底部周囲は下方に突出する周縁部を有し、前記カバー本体の上端部が前記周縁部の内側に嵌入していることを特徴とする外装カバー装置。
【請求項４】
請求項１〜３のいずれか１項に記載の外装カバー装置において、前記摺動カバーは側面パネル部を有し、該側面パネル部の壁面当接部には、前記壁に設けられた幅木の露出形状に合わせた切欠きが形成可能な切り込み溝を設けたことを特徴とする外装カバー装置。
【請求項５】
請求項１〜４のいずれか１項に記載の外装カバー装置において、前記カバー本体の側面パネル部の壁面当接部には、前記壁に設けられた幅木の露出形状に合わせた切欠きが形成可能な切り込み溝を設けたことを特徴とする外装カバー装置。
【請求項６】
請求項４又は５記載の外装カバー装置において、前記切り込み溝は、垂直及び／又は水平に複数本形成されていることを特徴とする外装カバー装置。
【請求項７】
請求項１記載の外装カバー装置において、前記それぞれの位置決め突起は、除去可能であることを特徴とする外装カバー装置。
【請求項８】
請求項２記載の外装カバー装置において、前記係合バネ部材は、前記掛止突起の先側から嵌入し、該掛止突起の嵌入方向とは逆方向に前記掛止突起に食い込む係止爪を前記突出片の両側に備えていることを特徴とする外装カバー装置。
【請求項９】
請求項８記載の外装カバー装置において、前記掛止突起は、前記固定孔の横幅に合う上下のガイド板と該ガイド板を連結する中板とを有し、前記係止爪は該中板に食い込むことを特徴とする外装カバー装置。
【請求項１０】
請求項２、８、９のいずれか１項に記載の外装カバー装置において、前記掛止突起の下部には、傾斜面を有し前記掛止突起を前記固定孔に導くガイド部が設けられていることを特徴とする外装カバー装置。
【請求項１１】
請求項２、８〜１０のいずれか１項に記載の外装カバー装置において、前記固定手段を前記カバー本体の上側及び下側に設け、前記下側の固定手段に設けた掛止突起の突出長さが、前記上側の固定手段に設けた掛止突起の突出長さより長いことを特徴とする外装カバー装置。
【発明の詳細な説明】
【０００１】
【発明の属する技術分野】
本発明は、例えば洗面器や手洗い器等の壁に露出して取付けられた機器の下側に配置された、通常は機器の使用者が使用しないトラップ、給・排水管、バルブ等の露出部を覆う外装カバー装置に関する。
【０００２】
【従来の技術】
従来、壁に固定された洗面器や手洗い器等の機器は、その下側に機器に接続されたトラップ、給・排水管、バルブ等の付属装置を配置しているが、付属装置を露出させておくことは外観上好ましくないので、例えば、特開平１１−３３２７６２号公報に開示されているように、プラスチック製の外装カバーで付属装置を覆っている。外装カバーを壁に取付けるときは、手洗い器の下方の壁に外装カバーの上部を支持する上側固定具（上ブラケット）を予め取付けておくと共に、外装カバーの下部を支持する下側固定具（下ブラケット）を外装カバーの下部に取付けておく。そして、外装カバーを上側固定具に掛止させ、更に外装カバーを持ち上げて手洗い器の下端に接触させた状態で下側固定具の壁に取付ける位置を罫書く。その後、一旦外装カバーを上側固定具から外すと共に、下側固定具を外装カバーから外し、下側固定具を壁に罫書いた取付け位置にボルトによって壁に固定する。その状態で外装カバーを上側固定具と下側固定具に掛止し、更にその状態で、ボルトによって外装カバーを上側固定具と下側固定具に固定し、更に、外装カバーの下端と床の間の隙間に補助カバー（幅木）を取付けている。
【０００３】
【発明が解決しようとする課題】
しかしながら、上記従来の方法では、次のような解決すべき問題があった。
（１）施工現場で壁に手洗い器を取付ける位置と上側固定具を取付ける位置とを加工するが、手洗い器が陶器でできているため、寸法精度にバラツキがあり、施工誤差や手洗い器と上側固定具との間の寸法に誤差が生じる。また、外装カバーの下方を覆う補助カバーが一定高さであるため、補助カバーと外装カバーの間に隙間が生じて外観上不具合が生じたり、補助カバーを現場で加工して高さを調整する必要が出て、取付け作業に多くの手間が掛かったりすることがあった。
（２）取付ける壁の下端部に所定高さで壁面から突出する幅木が設けられていることがあるが、外装カバーを壁面に取付けるとき、外装カバーの壁面との当接部が幅木に当接し、幅木より上の壁に外装カバーが密着せず、壁と外装カバーとの間に隙間が生じることがあった。
（３）外装カバーは上側固定具と下側固定具にボルトによって固定されるため、外観にボルトの頭が露出すると共に、ボルトによる取付け作業に多くの作業工数を要していた。
（４）上側固定具、下側固定具の位置を決めるとき、定規や物差しを使って罫書いているため、施工現場で準備する施工工具が多くなり、罫書き作業に多くの手間がかかっていた。
本発明はこのような事情に鑑みてなされたもので、外装カバー装置の取付け位置を簡単に決めることができると共に、外装カバー装置をワンタッチで簡単に壁に取付けることが可能な外装カバー装置を提供することを目的とする。
【０００４】
【課題を解決するための手段】
前記目的に沿う第１の発明に係る外装カバー装置は、壁に露出して取付けられた機器の通常は使用しない露出部を覆う外装カバー装置であって、正面パネル部及び該正面パネル部の両側にそれぞれ一体的に連接して設けられた側面パネル部とを備え、前記壁に取り外し可能に取付けられる上下開放のカバー本体と、前記カバー本体の内側でかつ該カバー本体の下側に摺動自在に取付けられ、しかも、前記カバー本体の下端と床面との間を覆う上下開放の摺動カバーとを有し、
１）前記カバー本体の両側面パネル部の内側に一体的に設けられた固定手段と、２）前記壁に仮固定可能な粘着剤を壁当接面に有し、前記固定手段に係合する固定孔と、該固定孔とは別にガイド孔を有する少なくとも２個の取付け金具と、３）前記固定手段の上下に設けられ、それぞれ前記壁に向かって突出し、前記それぞれの取付け金具の前記ガイド孔に着脱自在に嵌入する位置決め突起とを有し、前記カバー本体の前記位置決め突起に、前記取付け金具を装着した状態で、前記壁の取付け位置に該取付け金具を仮固定可能にしている。
また、第２の発明に係る外装カバー装置は、壁に露出して取付けられた機器の通常は使用しない露出部を覆う外装カバー装置であって、正面パネル部及び該正面パネル部の両側にそれぞれ一体的に連接して設けられた側面パネル部とを備え、前記壁に取り外し可能に取付けられる上下開放のカバー本体と、前記カバー本体の内側でかつ該カバー本体の下側に摺動自在に取付けられ、しかも、前記カバー本体の下端と床面との間を覆う上下開放の摺動カバーとを有し、
１）前記カバー本体の両側面パネル部の内側に設けられた固定手段と、２）前記カバー本体の固定手段に係合する固定孔を有して、左右に配置される少なくとも２個の取付け金具とを有し、更に、
前記固定手段は、前記取付け金具の固定孔に嵌入する掛止突起と、該掛止突起の先端部に嵌着される突出片とを有すると共に、前記突出片の両側には山形状に突出する係合バネ部材を有している。
これにより、例えば手洗い器等の機器の下方に設けられたトラップ、給・排水管、バルブ等の付属装置を外装カバー装置で覆う場合、カバー本体の上下方向の取付け位置にバラツキがあって、カバー本体と床との間の隙間が変わっても、摺動カバーを上下に摺動させてカバー本体と床との間の隙間を覆うことができる。
【０００５】
第１及び第２の発明に係る外装カバー装置において、機器の露出する機器本体の底部周囲は下方に突出する周縁部を有し、カバー本体の上端部が周縁部の内側に嵌入していてもよい。
この場合、カバー本体を持ち上げて、その上端部を機器本体の周縁部の内側に嵌入させることにより、外観上、機器本体とカバー本体との間の隙間の発生を防ぐことができる。
【０００６】
【０００７】
【０００８】
第１及び第２の発明に係る外装カバー装置において、摺動カバーは側面パネル部を有し、この側面パネル部の壁面当接部には、壁に設けられた幅木の露出形状に合わせた切欠きが形成可能な切り込み溝を設けてもよい。
この場合、壁の壁面から突出する幅木が設けられていても、幅木の床面からの位置や高さ及び突出する幅等、幅木の露出形状に合った切り込み溝を選択し、その切り込み溝を切除することによって、摺動カバーの側面パネル部を壁に密着させることができる。
【０００９】
第１及び第２の発明に係る外装カバー装置において、カバー本体の側面パネル部の壁面当接部には、壁に設けられた幅木の露出形状に合わせた切欠きが形成可能な切り込み溝を設けてもよい。
この場合、カバー本体の側面パネル部が幅木に当接するとき、カバー本体に設けた切り込み溝を選択して、幅木の露出形状に合った位置の切り込み溝を切除することによって、カバー本体の側面パネル部を壁に密着させることができる。
第１及び第２の発明に係る外装カバー装置において、切り込み溝は、垂直及び／又は水平に複数本形成されていてもよい。
この場合、カバー本体及び摺動カバーに複数本形成された切り込み溝の内、切除する位置にある最も適切な切り込み溝を選択でき、しかもカッターナイフ等の簡単な工具により施工現場で簡単に加工することができる。
【００１０】
【００１１】
第１の発明に係る外装カバー装置において、固定手段にそれぞれ壁面に向かって突出させて設けた、例えば上下の２か所に設けた位置決め突起をそれぞれ取付け金具のガイド孔に嵌入させる。この状態で、機器に接続された付属装置を覆う位置にカバー本体を最適な位置に配置し、更にカバー本体を壁に押し付けることにより、取付け金具に取付けた仮固定可能な粘着剤、例えば両面粘着テープを介して取付け金具を壁に仮固定する。その後、カバー本体の位置決め突起をガイド孔から抜いて、カバー本体を取付け金具から外し、取付け金具をボルト又は接着剤によって壁に固定する。次に、固定された取付け金具にカバー本体を取付けるが、取付け金具は最適な位置に固定されているので、改めて取付け金具の取付け位置の罫書き作業は不要となる。
【００１２】
第１の発明に係る外装カバー装置において、それぞれの位置決め突起は、除去可能であってもよい。
この場合、壁の最適な位置に取付け金具が固定された後、取付け金具にカバー本体を取付けるが、この状態でカバー本体を取付け金具に取付ける位置は、位置決め突起とガイド孔によって決まってしまうので、位置決め突起を折り曲げて除去することにより、カバー本体を、上下に僅かに移動させて、カバー本体の取付け位置を調整しても、カバー本体の動きを抑制するものは、例えば取付け金具に設けた固定孔と掛止突起だけとなり、固定孔に掛止突起を嵌入させる作業が容易になる。
【００１３】
第２の発明に係る外装カバー装置において、カバー本体に設けた掛止突起を壁に固定した取付け金具の固定孔に入れて、カバー本体を壁に向かって押し付けることにより、掛止突起に設けた突出片の係合バネ部材が、バネアクションによって固定孔の両内側縁を押圧して取付け金具と掛止突起とを係合する。したがって、カバー本体を壁に向かって押し付けるだけで掛止突起を有するカバー本体は取付け金具に保持され、簡単にカバー本体を壁に取付けることができる。
【００１４】
第２の発明に係る外装カバー装置において、係合バネ部材は、掛止突起の先側から嵌入し、掛止突起の嵌入方向とは逆方向に掛止突起に食い込む係止爪を突出片の両側に備えていてもよい。
この場合、カバー本体の掛止突起の先端部に突出片を嵌入させると、係止爪が係止突起の側面に食い込んで、カバー本体の着脱を繰り返しても突出片が掛止突起から脱落することはない。
第２の発明に係る外装カバー装置において、掛止突起は、固定孔の横幅に合う上下のガイド板とガイド板を連結する中板とを有し、係止爪は中板に食い込むようにしてもよい。
この場合、掛止突起を取付け金具の固定孔に嵌入するとき、ガイド板が固定孔にガイドされて幅方向の位置決めがなされると共に、突出片の係止爪が掛止突起の中板に食い込んで、突出片の脱落を防止することができる。
【００１５】
第２の発明に係る外装カバー装置において、掛止突起の下部には、傾斜面を有し掛止突起を固定孔に導くガイド部を設けてもよい。
この場合、カバー本体を持ち上げて掛止突起を固定孔に嵌入させると、傾斜面を有するガイド部が取付け金具の固定孔の下側縁に当接し、更に掛止突起を嵌入させると、傾斜面に沿ってカバー本体が持ち上げられ、カバー本体の上端部が機器本体の周縁部の内側に嵌入して密着させることができる。
第２の発明に係る外装カバー装置において、固定手段をカバー本体の上側及び下側に設け、下側の固定手段に設けた掛止突起の突出長さが、上側の固定手段に設けた掛止突起の突出長さより長くしてもよい。
この場合、カバー本体の下部に設けた掛止突起を上部に設けた掛止突起より長く突出させることにより、カバー本体を持ち上げて下側の掛止突起を先に、下側に設けた取付け金具の固定孔に嵌入させ、その後、上側に設けた取付け金具の固定孔に上側の掛止突起を嵌入させるとができるので、同時に上下の掛止突起を固定孔に嵌入させる場合に比べて嵌入作業が容易となる。
【００１６】
【発明の実施の形態】
続いて、添付した図面を参照しつつ、本発明を具体化した実施の形態につき説明し、本発明の理解に供する。
ここに、図１（Ａ）、（Ｂ）はそれぞれ本発明の第１の実施の形態に係る外装カバー装置の一部切欠き正面図、一部切欠き側面図、図２は同外装カバー装置のカバー本体及び摺動カバーの組み立て前の斜視図、図３は同外装カバー装置のカバー本体の上端部の拡大断面図、図４（Ａ）、（Ｂ）、（Ｃ）はそれぞれ同外装カバー装置の取付け金具と固定手段の説明図、図５（Ａ）、（Ｂ）はそれぞれ同外装カバー装置の固定手段の説明図、図６（Ａ）、（Ｂ）はそれぞれ同外装カバー装置の突出片の説明図、図７（Ａ）〜（Ｄ）はそれぞれ同外装カバー装置の取付け工程を示す説明図、図８（Ａ）、（Ｂ）はそれぞれ本発明の第２の実施の形態に係る外装カバー装置の一部切欠き正面図、一部切欠き側面図である。
【００１７】
図１（Ａ）、（Ｂ）、図２に示すように、本発明の第１の実施の形態に係る外装カバー装置１０は、壁１１に露出して取付けられた機器の一例である手洗い器１２の下方にあって、通常は手洗い器１２の使用者が操作しないが、修理やメンテナンスのときに操作する露出部の一例であるトラップ、給・排水管、バルブ等の付属装置１３を覆う装置であって、カバー本体１４を設けている。カバー本体１４は、例えばポリプロピレン（ＰＰ）等の合成樹脂の射出成型によって平面視してＵ字状に形成され、正面パネル部１５及び正面パネル部１５の両側にそれぞれ一体的に連接して設けられた側面パネル部１６とを備えて、上下が開放されて壁１１に取り外し可能に取付けられるようにしている。また、カバー本体１４の内側には、カバー本体１４の下側に摺動自在に取付けられ、しかも、カバー本体１４の下端と床面１７との間を覆う上下開放の摺動カバー１８を設けている。摺動カバー１８はカバー本体１４の正面パネル部１５及び側面パネル部１６の内側に沿ってそれぞれ設けられた摺動カバー１８の正面パネル部１９及び側面パネル部２０を有している。
【００１８】
正面パネル部１５の内側には上下方向に延び、かつ内側に突出するスライドガイド２１が設けられ、スライドガイド２１にねじ孔２２が設けられている。摺動カバー１８の正面パネル部１９にはスライドガイド２１が摺動自在に嵌合するスライド溝２３が設けられ、スライド溝２３には上下方向に長い、例えば３０〜５０ｍｍ程度の摺動ストロークが確保できる長孔２４が設けられている。そして、正面パネル部１５に摺動カバー１８の正面パネル部１９を重ねて、スライドガイド２１をスライド溝２３に嵌合させた状態で、ねじ孔２２に座金２５を介してボルト２６を装入し、ねじ孔２２に螺合させている。
【００１９】
図３に示すように、手洗い器１２の露出する機器本体２７の底部周囲には、下方に突出する周縁部２８を設け、カバー本体１４の上端部が周縁部２８の内側に嵌入可能に形成されている。
摺動カバー１８の側面パネル部２０の壁１１に当接する壁面当接部の両端部には、壁１１の下部に設けられた幅木２９の露出形状に合わせた切欠き３０が形成可能な垂直及び／又は水平に複数本の切り込み溝３１を設けている。
また、カバー本体１４の側面パネル部１６の壁面当接部の下側には、壁１１の下部に設けられた幅木２９の露出形状に合わせた切欠き３２が形成可能な切り込み溝３３が設けられている。
なお、側面パネル部１６、２０にそれぞれ設けた切り込み溝３３、３１は、断面Ｖ字状となって、垂直及び／又は水平に複数本形成されていてカッターナイフなどの工具により現場で所定の位置で除去できるようにしている。
【００２０】
また、図２、図４（Ａ）に示すように、外装カバー装置１０は、カバー本体１４とは別体として、４個の取付け金具３４が設けられている。取付け金具３４は、壁１１に当接する面（壁当接面）を含む壁当接部３５を両端部に有し、壁当接部３５から浮き上がった状態に突出する保持部３６とを備え、各壁当接部３５には壁１１に仮固定可能な粘着剤の一例である両面粘着テープ３７と壁１１に木ねじ３８によって固定するためのねじ孔３９とを設けている。
保持部３６の中央部には、カバー本体１４に設けられた固定手段４０に係合する長方形の固定孔４１を設け、保持部３６には固定孔４１とは別に、固定孔４１の両端側にそれぞれガイド孔４２を設けている。
固定手段４０は、カバー本体１４の両側面パネル部１６の上部及び下部の内側に一体的に設けられ、各固定手段４０の上下には、それぞれ壁１１に向かって突出し、図５（Ａ）に示すように、それぞれの取付け金具３４のガイド孔４２に着脱自在に嵌入する位置決め突起４３が設けられている。そして、位置決め突起４３を、取付け金具３４のガイド孔４２に嵌入した状態で、壁１１の取付け位置に取付け金具３４を両面粘着テープ３７を介して仮固定できるようにしている。なお、位置決め突起４３は、カバー本体１４の位置決めが完了した後、折り曲げて除去可能にしている。
【００２１】
また、図５（Ａ）、（Ｂ）、図６（Ａ）、（Ｂ）に示すように、各固定手段４０には、取付け金具３４の固定孔４１に嵌入する掛止突起４４と、掛止突起４４の先端部に嵌着される突出片４５とを有し、更に突出片４５の両側には山形状に突出する係合バネ部材４６を有している。なお、カバー本体１４の下部に設ける掛止突起４４の突出長さは、カバー本体１４の上部に設ける掛止突起４４の突出長さより長くしている。
突出片４５は掛止突起４４の先側から嵌入するようにし、掛止突起４４の嵌入方向とは逆方向に掛止突起４４に食い込む係止爪４７を突出片４５の両側に備えて、係合バネ部材４６と共に一体に、弾性を有する金属部材によって形成している。
【００２２】
また、掛止突起４４は、固定孔４１の横幅に合うように形成された上下のガイド板４８と、ガイド板４８を連結する中板４９とを有し、突出片４５を掛止突起４４に嵌入させた状態で、係止爪４７は中板４９の側面に食い込むようにしている。
カバー本体１４の上側左右の掛止突起４４の下部には、掛止突起４４を固定孔４１に導く傾斜面５０を有するガイド部５１を設けて、固定孔４１に掛止突起４４と共にガイド部５１を嵌入可能にしている。なお、ガイド部５１はカバー本体１４の上側左右の掛止突起４４の代わりに、下側左右の掛止突起４４の下部に設けることも可能である。
【００２３】
ここで、本発明の第１の実施の形態に係る外装カバー装置１０の取付け手順について説明する。
（１）予め、カバー本体１４を機器本体２７の下部に設けた周縁部２８の内側に当てた状態で、カバー本体１４の下端部と摺動カバー１８の両端部が壁１１の下端の幅木２９に当接する位置を確認し、幅木２９の大きさに合わせて、切り込み溝３１、３３を切取り除去し、カバー本体１４及び摺動カバー１８が壁１１に密着するようにしておく。
（２）カバー本体１４の内側に摺動カバー１８を配置し、スライドガイド２１をスライド溝２３に嵌合させて、座金２５を介して軽くボルト２６を締め付けて、手で摺動カバー１８を上下に摺動して、手を離しても摩擦によってその位置に止まるようにしておく。
（３）取付け金具３４のガイド孔４２にカバー本体１４に設けた位置決め突起４３を落下しない程度に押し込み、取付け金具３４に取付けた両面粘着テープ３７のセパレータ紙を剥がしておく。なお、このとき、未だ突出片４５は掛止突起４４に固定されていない。
【００２４】
（４）カバー本体１４を持ち上げて、カバー本体１４の上端部を機器本体２７の下部に設けた周縁部２８の内側に当接させる。このとき、まだ両面粘着テープ３７が壁１１に接触しないようしておく。
（５）カバー本体１４が付属装置１３を覆う正しい位置に位置決めした状態で、取付け金具３４と共に、カバー本体１４を壁１１に押し付ける。これにより、４個の取付け金具３４は両面粘着テープ３７を介して壁１１に取付けられる（仮固定）。
（６）取付け金具３４が壁１１に取付けられていることを確認して、カバー本体１４を取付け金具３４から引き抜いて取り外す。そして取付け金具３４のねじ孔３９に、木ねじ３８を通すと共に、木ねじ３８を締め付けて取付け金具３４を壁１１に固着する。
（７）取り外したカバー本体１４の掛止突起４４に突出片４５を嵌入させて固定し、その後位置決め突起４３を折り曲げ除去する。このとき、突出片４５の係止爪４７が掛止突起４４の中板４９の側面に食い込んで、突出片４５は取外しができない状態となる。
【００２５】
（８）図７（Ａ）に示すように、カバー本体１４の下部に設けた固定手段４０の掛止突起４４を下側の取付け金具３４の固定孔４１に嵌入させる。このとき、下側の掛止突起４４が側部の掛止突起４４より長く形成されているので、互いに干渉することなく、容易に両方の掛止突起４４をそれぞれ固定孔４１に嵌入させることができる。
（９）次に図７（Ｂ）に示すように、カバー本体１４を持ち上げながら、図４（Ｂ）に示すように、カバー本体１４の上側の掛止突起４４を上側の取付け金具３４の固定孔４１に嵌入させる。このとき、掛止突起４４の下部に設けたガイド部５１の傾斜面５０が固定孔４１の下側縁部に当たり、カバー本体１４が傾斜面５０に沿って斜めに上昇して持ち上がる。
【００２６】
（１０）上下左右の４個の掛止突起４４がそれぞれ取付け金具３４の固定孔４１に入ったところで、図７（Ｃ）に示すように、カバー本体１４を壁１１に向かって押し付ける。このとき、固定孔４１の内側縁は、図４（Ｃ）に示すように、突出片４５に設けた係合バネ部材４６の山形の頂部を乗り越えて固定され、バネ作用によって簡単に抜けない状態となる。
（１１）図７（Ｄ）に示すように、摺動カバー１８を手で降ろして摺動カバー１８を下降させ、摺動カバー１８の下端を床面１７に接触させる。
これにより、付属装置１３はカバー本体１４と摺動カバー１８によって完全に覆うことができる。
【００２７】
図８（Ａ）、（Ｂ）に示すように、本発明の第２の実施の形態に係る外装カバー装置６０は、第１の実施の形態に係る外装カバー装置１０で説明した摺動カバーをカバー本体の上側に設け、しかもカバー本体の外側に沿って摺動するようにしたものである。なお第１の実施の形態に係る外装カバー装置１０と共通する構成要素については同一名称、同一符号を付して説明を省略する。
すなわち、カバー本体６１の外側には、カバー本体６１の上側に摺動自在に取付けられ、しかも、カバー本体６１の上端と機器本体２７との間を覆う上下開放の摺動カバー６２を設けている。摺動カバー６２はカバー本体６１の正面パネル部６３及び側面パネル部６４の外側に沿ってそれぞれ設けられた正面パネル部６５及び側面パネル部６６を有している。カバー本体６１の側面パネル部６４の壁面当接部の下側には、壁１１の下部に設けられた幅木２９の露出形状に合わせた切欠き６７が形成可能な切り込み溝６８が設けられている。
【００２８】
摺動カバー６２の正面パネル部６５の内側には上下方向に延び、かつ内側に突出するスライドガイド６９が設けられ、正面パネル部６５とスライドガイド６９を貫通する装入孔７０が設けられている。カバー本体６１の正面パネル部６３にはスライドガイド６９が摺動自在に嵌合するスライド溝７１が設けられ、スライド溝７１には上下方向に長い長孔７２が設けられている。そして、正面パネル部６３に摺動カバー６２の正面パネル部６５を重ねて、スライドガイド６９をスライド溝７１に嵌合させた状態で、装入孔７０にボルト７４を装入し、カバー本体６１の内側に配置したナット７５に座金７３を介して螺合させて、摺動カバー６２の外側からボルト７４を締めることにより、カバー本体６１と摺動カバー６２とを一体に固定できるようにしている。
【００２９】
ここで、本発明の第２の実施の形態に係る外装カバー装置６０の取付け手順について説明する。
（１）予め、摺動カバー６２を機器本体２７の下部に設けた周縁部２８の内側に当てた状態で、カバー本体６１の下端部が壁１１の下端の幅木２９に当接する位置を確認し、幅木２９の大きさに合わせて、切り込み溝６８を折り曲げ除去して切欠き６７を形成し、カバー本体６１が壁１１に密着できるようにしておく。
（２）カバー本体６１の外側に摺動カバー６２を配置し、スライドガイド６９をスライド溝７１に嵌合させて、座金７３を介して軽くボルト７４を締め付けて仮止めしておく。
（３）取付け金具３４のガイド孔４２にカバー本体６１に設けた位置決め突起４３を落下しない程度に押し込み、取付け金具３４に取付けた両面粘着テープ３７のセパレータ紙を剥がしておく。なお、このとき、未だ突出片４５は掛止突起４４に固定されていない。
【００３０】
（４）カバー本体６１が付属装置１３を覆う正しい位置に位置決めした状態で、取付け金具３４と共に、カバー本体６１を壁１１に押し付ける。これにより、４個の取付け金具３４は両面粘着テープ３７を介して壁１１に取付けられる。
（５）取付け金具３４が壁１１に取付けられていることを確認して、カバー本体６１を取付け金具３４から引き抜いて取り外す。そして取付け金具３４のねじ孔３９に木ねじ３８を通し、木ねじ３８を締め付けて取付け金具３４を壁１１に固着する。
（６）取り外したカバー本体６１の掛止突起４４に突出片４５を嵌入させて固定し、その後位置決め突起４３を折り曲げ除去する。このとき、突出片４５の係止爪４７が掛止突起４４の中板４９の側面に食い込んで、突出片４５は取外しができない状態となる。
【００３１】
（７）カバー本体６１の下側の掛止突起４４を下側の取付け金具３４の固定孔４１に嵌入させ、次に、カバー本体５１の上側の掛止突起４４を上側の取付け金具３４の固定孔４１に嵌入させる。このとき、下側の掛止突起４４が上側の掛止突起４４より長く形成されているので、容易に両方の掛止突起４４がそれぞれ固定孔４１に嵌入させることができる。
（８）上下左右の４個の掛止突起４４がそれぞれ取付け金具３４の固定孔４１に入ったところで、カバー本体６１を壁１１に向かって押し付ける。このとき、固定孔４１の内側縁は、図４（Ｃ）に示すように、突出片４５に設けた係合バネ部材４６の山形の頂部を乗り越えて固定され、バネ作用によって簡単に抜けない状態となる。
（９）摺動カバー６２を仮止めしたボルト７４を緩め、摺動カバー６２を持ち上げて、摺動カバー６２の上端部を機器本体２７の下部に設けた周縁部２８の内側に嵌入して機器本体２７の底面に当接させ、ボルト７４を締めて摺動カバー６２とカバー本体６１を一体に固定する。
これにより、付属装置１３はカバー本体６１と摺動カバー６２によって完全に覆うことができる。
【００３２】
以上、本発明の実施の形態について説明してきたが、本発明は、何ら前記の実施の形態に記載の構成に限定されるものではなく、特許請求の範囲に記載されている事項の範囲内で考えられるその他の実施の形態や変形例も含むものである。
例えば、前記実施の形態では４個の取付け金具を用いたが、２個以上の取付け金具で取付けてもよい。
また、カバー本体や摺動カバーは、ポリプロピレンの射出成型によって形成されるものに限るものではなく、ＦＲＰ等によって圧縮成型により形成されるものでもよい。
また、カバー本体や摺動カバーの内側又は外側に補強用リブを形成してもよい。
【００３３】
【発明の効果】
請求項１〜１１記載の外装カバー装置においては、正面パネル部及び正面パネル部の両側にそれぞれ一体的に連接して設けられた側面パネル部とを備え、壁に取り外し可能に取付けられる上下開放のカバー本体と、カバー本体の内側でかつカバー本体の下側に摺動自在に取付けられ、しかも、カバー本体の下端と床面との間を覆う上下開放の摺動カバーとを有するので、カバー本体の上下方向の取付け位置にバラツキがあったり、カバー本体と床との間の隙間が変わっても、外装カバー装置の取付け位置を簡単に決めることができる。更に、外装カバー装置をワンタッチで簡単に壁に取付けることができ、外装カバー装置の取付け作業工数を大幅に低減することができる。
特に、請求項３記載の外装カバー装置においては、機器の露出する機器本体の底部周囲は下方に突出する周縁部を有し、カバー本体の上端部が周縁部の内側に嵌入しているので、機器本体とカバー本体との間の隙間の発生を防ぐ共に、外観を良くすることができる。
【００３４】
【００３５】
請求項４記載の外装カバー装置においては、摺動カバーは側面パネル部を有し、その側面パネル部の壁面当接部には、壁に設けられた幅木の露出形状に合わせた切欠きが形成可能な切り込み溝を設けているので、壁に壁面から突出する幅木が設けられていても、摺動カバーの側面パネル部を壁に密着させることができる。
請求項５記載の外装カバー装置においては、カバー本体の側面パネル部の壁面当接部には、壁に設けられた幅木の露出形状に合わせた切欠きが形成可能な切り込み溝を設けているので、幅木の露出形状に合った位置の切り込み溝を切除することによって、カバー本体の側面パネル部を壁に密着させることができる。
請求項６記載の外装カバー装置においては、切り込み溝は、垂直及び／又は水平に複数本形成されているので、カッターナイフ等の簡単な工具により施工現場で簡単に幅木の形状に合った切欠きを加工することができる。
【００３６】
また、請求項１及びこれに従属する請求項３〜７記載の外装カバー装置においては、壁に取り外し可能に取付けられる上下開放のカバー本体と、壁に仮固定可能な粘着剤を壁当接面に有し、固定手段に係合する固定孔と、固定孔とは別にガイド孔を有する少なくとも２個の取付け金具と、固定手段の上下に設けられ、それぞれ壁に向かって突出し、それぞれの取付け金具のガイド孔に着脱自在に嵌入する位置決め突起とを有し、カバー本体の位置決め突起に、取付け金具を装着した状態で、壁の取付け位置に取付け金具を仮固定可能にしているので、改めて取付け金具の取付け位置の罫書き作業は不要となり、取付け作業が極めて簡単になる。
特に、請求項７記載の外装カバー装置においては、それぞれの位置決め突起は、除去可能にしているので、カバー本体を取付け金具に設けた掛止突起に取付ける嵌入作業が容易になる。
【００３７】
請求項２及びこれに従属する請求項３〜６、８〜１１記載の外装カバー装置においては、カバー本体の両側面パネル部の内側に設けられた固定手段と、カバー本体の固定手段に係合する固定孔を有する少なくとも２個の取付け金具とを有し、固定手段は、取付け金具の固定孔に嵌入する掛止突起と、掛止突起の先端部に嵌着される突出片とを有し、更に突出片の両側には山形状に突出する係合バネ部材を有しているので、カバー本体を壁に向かって押し付けるだけで掛止突起を有するカバー本体は取付け金具に保持され、簡単にカバー本体を壁に取付けることができる。
特に、請求項８記載の外装カバー装置においては、係合バネ部材は掛止突起の先側から嵌入し、掛止突起の嵌入方向とは逆方向に掛止突起に食い込む係止爪を突出片の両側に備えているので、カバー本体の掛止突起の先端部に突出片を嵌入させると、係止爪が掛止突起の側面に食い込んで、カバー本体の着脱を繰り返しても突出片が掛止突起から脱落することがなく、取付け取外し作業を極めて容易に行うことができる。
請求項９記載の外装カバー装置においては、掛止突起は、固定孔の横幅に合う上下のガイド板とガイド板を連結する中板とを有し、係止爪は中板に食い込むようにしているので、突出片の脱落を防止することができる。
【００３８】
請求項１０記載の外装カバー装置においては、掛止突起の下部には、傾斜面を有し掛止突起を固定孔に導くガイド部を設けているので、傾斜面に沿ってカバー本体が持ち上げられ、カバー本体の上端部が機器本体の周縁部の内側に容易に嵌入して密着させることができる。
請求項１１記載の外装カバー装置においては、下側の掛止突起の突出長さを、上側の掛止突起の長さより長くしているので、先に下側の掛止突起を下側に設けた取付け金具の固定孔に嵌入させ、その後、上側に設けた取付け金具の固定孔に上側の掛止突起を嵌入させるとができ、同時に上下の掛止突起を固定孔に嵌入させる場合に比べて嵌入作業が極めて容易となる。
更に、本発明の外装カバー装置においては、カバー本体の外面にねじやボルトの露出をなくすこともできるので、外観を向上させることも可能である。
【図面の簡単な説明】
【図１】（Ａ）、（Ｂ）はそれぞれ本発明の第１の実施の形態に係る外装カバー装置の一部切欠き正面図、一部切欠き側面図である。
【図２】同外装カバー装置のカバー本体及び摺動カバーの組み立て前の斜視図である。
【図３】同外装カバー装置のカバー本体の上端部の拡大断面図である。
【図４】（Ａ）、（Ｂ）、（Ｃ）はそれぞれ同外装カバー装置の取付け金具と固定手段の説明図である。
【図５】（Ａ）、（Ｂ）はそれぞれ同外装カバー装置の固定手段の説明図である。
【図６】（Ａ）、（Ｂ）はそれぞれ同外装カバー装置の突出片の説明図である。
【図７】（Ａ）〜（Ｄ）はそれぞれ同外装カバー装置の取付け工程を示す説明図である。
【図８】（Ａ）、（Ｂ）はそれぞれ本発明の第２の実施の形態に係る外装カバー装置の一部切欠き正面図、一部切欠き側面図である。
【符号の説明】
１０：外装カバー装置、１１：壁、１２：手洗い器、１３：付属装置、１４：カバー本体、１５：正面パネル部、１６：側面パネル部、１７：床面、１８：摺動カバー、１９：正面パネル部、２０：側面パネル部、２１：スライドガイド、２２：ねじ孔、２３：スライド溝、２４：長孔、２５：座金、２６：ボルト、２７：機器本体、２８：周縁部、２９：幅木、３０：切欠き、３１：切り込み溝、３２：切欠き、３３：切り込み溝、３４：取付け金具、３５：壁当接部、３６：保持部、３７：両面粘着テープ、３８：木ねじ、３９：ねじ孔、４０：固定手段、４１：固定孔、４２：ガイド孔、４３：位置決め突起、４４：掛止突起、４５：突出片、４６：係合バネ部材、４７：係止爪、４８：ガイド板、４９：中板、５０：傾斜面、５１：ガイド部、６０：外装カバー装置、６１：カバー本体、６２：摺動カバー、６３：正面パネル部、６４：側面パネル部、６５：正面パネル部、６６：側面パネル部、６７：切欠き、６８：切り込み溝、６９：スライドガイド、７０：装入孔、７１：スライド溝、７２：長孔、７３：座金、７４：ボルト、７５：ナット
【図１】
0004734767.tif 000002
【図２】
0004734767.tif 000003
【図３】
0004734767.tif 000004
【図４】
0004734767.tif 000005
【図５】
0004734767.tif 000006
【図６】
0004734767.tif 000007
【図７】
0004734767.tif 000008
【図８】
0004734767.tif 000009